(57)【要約】      （修正有）【課題】省スペース化及び軽量化が可能であり、設置場所の選定や移動が容易な仏壇を提供する。【解決手段】仏壇１は、底板と、底板から立設する側壁２０と、側壁の天端に取り付けられる天井３０と、を備え、側壁２０は、開口部２１を有する１枚の四角形状の紙が略Ｖ字形状の溝を有する５本の折り目で六角柱形状に折り曲げられ、互いに並行な一対の側縁を互いに当接させることで、内部空間２２を形成する。【選択図】図１
0003212268.tif 000002
【実用新案登録請求の範囲】
【請求項１】
底板と、前記底板から立設する側壁と、前記側壁の天端に取り付けられる天井と、を備え、
前記側壁は、開口部を有し、１枚の四角形状の紙が折り曲げられ、互いに並行な一対の側縁を互いに当接させることで、内部空間を形成する仏壇。
【請求項２】
前記側壁は、１枚の四角形状の紙において、一対の前記側縁と並行して延びる略Ｖ字形状の溝であり、一対の前記側縁の間において、等間隔で配置された５本の折り目が折り曲げられることで、六角柱形状に形成されている請求項１に記載の仏壇。
【考案の詳細な説明】
【技術分野】
【０００１】
本考案は、仏壇に関する。
【背景技術】
【０００２】
従来、仏壇は、伝統的な形状であり、仏間に置かれていたが、最近の住宅事情や住む人の意識等の変化により、洋間、キッチン、リビングルーム等にも置かれるようになり、室内装飾や調度品等に外観が適合するようにした家具調の外観を有するものもある。
【０００３】
このような仏壇として、家具調収容ユニットと、仏壇ユニットと、を備え、家具調収容ユニットは全体に家具調に仕上げてあり、仏壇ユニットは家具調収容ユニットに背面側から収容され着脱可能に取り付けてあるユニット仏壇が開示されている（特許文献１参照）。このようなユニット仏壇によれば、設置する場所の周囲の家具と調和する外観を有するものを購入者の選択により無駄なく合理的に作ることができる。
【先行技術文献】
【特許文献】
【０００４】
【特許文献１】特開２０００−５０３９号公報
【考案の概要】
【考案が解決しようとする課題】
【０００５】
ところで、近年の住宅では、伝統的な仏壇を設置できるほどのスペースを確保できない場合もある。また、従来の仏壇は、通常、枠から装飾部材が木製であり、重量が重く、容易に移動することができないため、一度、設置してしまったら動かすことができず、仏間以外に設置した場合、部屋の掃除や模様替え等の支障となってしまう場合があった。
【０００６】
本考案は、省スペース化及び軽量化が可能であり、設置場所の選定や移動が容易な仏壇を提供することを目的とする。
【課題を解決するための手段】
【０００７】
（１）  底板と、前記底板から立設する側壁と、前記側壁の天端に取り付けられる天井と、を備え、
前記側壁は、開口部を有し、１枚の四角形状の紙が折り曲げられ、互いに並行な一対の側縁を互いに当接させることで、内部空間を形成する仏壇。
【０００８】
（１）の構成によれば、仏壇は、底板と、底板から立設する側壁と、側壁の天端に取り付けられる天井と、を備える。そして、側壁は、開口部を有し、１枚の四角形状の紙が折り曲げられ、互いに並行な一対の側縁を互いに当接させることで、内部空間を形成する。このような内部空間には、開口部から、例えば、骨壺等が収容される。
これにより、仏壇を、１枚の四角形状の紙を折り曲げて、側縁を互いに当接させることで形成できるので、外観をコンパクトにし、重量を抑えることが可能となる。
したがって、省スペース化及び軽量化が可能であり、設置場所の選定や移動が容易な仏壇を提供できる。
【０００９】
（２）  前記側壁は、１枚の四角形状の紙において、一対の前記側縁と並行して延びる略Ｖ字形状の溝であり、一対の前記側縁の間において、等間隔で配置された５本の折り目が折り曲げられることで、六角柱形状に形成されている（１）に記載の仏壇。
【００１０】
（２）の構成によれば、側縁と並行して延びる略Ｖ字形状の溝であり、一対の側縁の間において、等間隔で配置された５本の折り目が形成された１枚の四角形状の紙を、折り曲げることで、六角柱形状の側壁を有する仏壇を提供できる。
これにより、仏壇の組み立てや分解が容易になるとともに、分解した状態では側壁を構成する部材は１枚の四角形状の紙となるので、運搬や収納が容易になる。また、六角柱形状とすることで、安定性と強度が向上する。
【考案の効果】
【００１１】
本考案によれば、省スペース化及び軽量化が可能であり、設置場所の選定や移動が容易な仏壇を提供することができる。
【図面の簡単な説明】
【００１２】
【図１】本考案の一実施形態に係る仏壇を正面上方から視た図である。
【図２】前記実施形態に係る仏壇の側壁を展開した状態を示す図である。
【考案を実施するための形態】
【００１３】
本考案の実施形態に係る仏壇１の構成を図面に基づいて説明する。
図１は、本考案の一実施形態に係る仏壇１を正面上方から視た図である。
【００１４】
仏壇１は、紙（例えば、厚さ１５ｍｍのハニカム状のダンボール等）により構成され、内部に、骨壺１００等が収容可能であり、任意の場所に設置可能である。仏壇１は、底板１０と、底板１０の側縁から立設する側壁２０と、側壁２０の天端に取り付けられる天井３０と、を備える。
【００１５】
底板１０及び天井３０は、例えば、平面視で六角形状に形成されている。
側壁２０は、開口部２１を有し、１枚の四角形状の紙２００（後述する図２参照）が折り曲げられ、互いに並行な一対の側縁２０１（後述する図２参照）を互いに当接させることで、内部空間２２を形成している。
【００１６】
図２は、前記実施形態に係る仏壇１の側壁２０を展開した状態を示す図である。
側壁２０を展開すると、図２に示す１枚の四角形状の紙２００（例えば、高さ３７０ｍｍ、幅７５０ｍｍ）となる。
【００１７】
紙２００は、互いに並行な一対の側縁２０１と、この一対の側縁２０１と並行して延びる略Ｖ字形状の溝であり、一対の側縁２０１の間において、等間隔（例えば、１２５ｍｍ間隔）で配置された５本の折り目２０２と、を有する。紙２００は、側縁２０１と折り目２０２との間や、互いに隣接する折り目２０２との間が、壁面２０３となる。すなわち、本実施形態では、紙２００において、６つの壁面２０３が形成されている。
【００１８】
また、６つの壁面２０３のうち、折り曲げられ側壁２０を形成した場合に、連続する３つの壁面２０３には、中間部分（例えば、上端から６５ｍｍ下がった位置と、下端から６５ｍｍ上がった位置との間）が切り抜かれた所定寸法（例えば、２４０ｍｍ）の開口部２１が形成されている。
【００１９】
このような紙２００を、折り目２０２で折り曲げ、一対の側縁２０１を互いに当接させ、接着することで、筒状の六角柱が形成される。そして、この六角柱の下端に底板１０（図１参照）を接着し、上端に天井３０（図１参照）を接着することで、図１に示すような内部空間２２及び開口部２１を有する六角柱形状（例えば、高さ３７０ｍｍ、一辺１２５ｍｍの六角柱形状）の仏壇１が形成される。
【００２０】
仏壇１の内部空間２２には、例えば、骨壺１００が収容される。骨壺１００は、例えば、お骨を収納した小型骨壺が収容される内側透明ケースと、内側透明ケースを覆う外側透明ケースとの二重構造となっており、内側透明ケースと外側透明ケースとの間には造花等が略一様に配置させることができるようになっている。
【００２１】
本実施形態によれば、仏壇１は、底板１０と、底板１０から立設する側壁２０と、側壁２０の天端に取り付けられる天井３０と、を備える。そして、側壁２０は、開口部２１を有し、１枚の四角形状の紙２００が折り曲げられ、互いに並行な一対の側縁２０１を互いに当接させることで、内部空間２２を形成する。このような内部空間２２には、開口部２１から、例えば、骨壺１００等が収容される。
これにより、仏壇１を、１枚の四角形状の紙２００を折り曲げて、側縁２０１を互いに当接させることで形成できるので、外観をコンパクトにし、重量を抑えることが可能となる。
したがって、省スペース化及び軽量化が可能であり、設置場所の選定や移動が容易な仏壇を提供できる。
【００２２】
また、本実施形態によれば、側縁２０１と並行して延びる略Ｖ字形状の溝であり、一対の側縁２０１の間において、等間隔で配置された５本の折り目２０２が形成された１枚の四角形状の紙２００を、折り曲げることで、六角柱形状の側壁２０を有する仏壇１を提供できる。
これにより、仏壇１の組み立てや分解が容易になるとともに、分解した状態では側壁２０を構成する部材は１枚の四角形状の紙２００となるので、運搬や収納が容易になる。また、六角柱形状とすることで、安定性と強度が向上する。
【００２３】
なお、本考案は前記実施形態に限定されるものではなく、本考案の目的を達成できる範囲での変形、改良等は本考案に含まれるものである。
【００２４】
例えば、本実施形態において、仏壇１は、六角形形状に形成しているが、これに限らず、例えば、円柱形状や、楕円柱形状、三角柱形状等の多角形形状にしてもよい。
【符号の説明】
【００２５】
１  仏壇
１０  底板
２０  側壁
２１  開口部
２２  内部空間
３０  天井
１００  骨壺
２００  紙
２０１  側縁
２０２  折り目
２０３  壁面
【図１】
0003212268.tif 000003
【図２】
0003212268.tif 000004